(57)【要約】長手方向に移動可能に支持される編針（１１）、及び編針の移動用編針制御曲線路（１３）を持つカム（１４）を有する編機であって、編針制御曲線路（１３）が少なくとも編針の舌閉鎖範囲（Ｚ）に３５°以上の押出し角を持っている。
2014500911.tif 000002
【特許請求の範囲】
【請求項１】
長手方向に移動可能に支持される舌針（１１）及び編針（１１）を移動させるための編針制御曲線路（１３）を持つカム（１３）を有する編機において、編針制御曲線路（１３）が、少なくとも編針（１１）の引下げ範囲の舌閉鎖範囲（Ｚ）に、３５°以下の引下げ角（α）を持っていることを特徴とする、編機。
【請求項２】
編針制御曲線路（１３）が、編針（１１）の全引下げ範囲に３５°以下の引下げ角（α）を持っていることを特徴とする、請求項１に記載の編機。
【請求項３】
編針制御曲線路（１３）の引下げ角（α）が３０°以下であることを特徴とする、請求項１又は２に記載の編機。
【請求項４】
編針（１１）の間に、長手方向に移動可能で揺動可能なシンカ（１７）が設けられ、シンカ（１７）を動かすためシンカ制御曲線路（１９）を持つカム（１６）が設けられ、編針（１１）の引下げの際シンカ（１７）が押出されるように、シンカ制御曲線路（１９）が形成され、シンカ制御曲線路（１９）が、少なくとも編針（１１）の舌閉鎖範囲（Ｚ）において２０°以下の押出し角（β）を持っていることを特徴とする、先行する請求項の１つに記載の編機。
【請求項５】
シンカ制御曲線路（１９）がシンカ（１７）の全押出し範囲に２０°以下の押出し角（β）を持っていることを特徴とする、請求項３に記載の編機。
【請求項６】
シンカ制御曲線路（１９）が１５°以下の押出し角（β）を持っていることを特徴とする、請求項３又は４に記載の編機。
【請求項７】
編針制御曲線路（１３）が、編針（１１）の引下げ範囲に、少なくとも舌閉鎖範囲（Ｚ）にわたって延びる直線経過を持つ区間（Ａ）を持っていることを特徴とする、先行する請求項の１つに記載の編機。
【請求項８】
編針制御曲線路（１３）が屈曲のない連続経過を持っていることを特徴とする、先行する請求項の１つに記載の編機。
【請求項９】
編針制御曲線路（１３）が、編針制御曲線路（１３）の最初の３分の１にある押出し範囲（１５）を持っていることを特徴とする、先行する請求項の１つに記載の編機。
【請求項１０】
編針制御曲線路（１３）が５０°以上の押出し角（γ）を持っていることを特徴とする、先行する請求項の１つに記載の編機。
【請求項１１】
編機が２０００より大きい速度係数及び／又は３．２より大きいシステム密度を持っていることを特徴とする、先行する請求項の１つに記載の編機。
【請求項１２】
編み機用カムが、編針（１１）の少なくとも舌閉鎖範囲（Ｚ）なるべく編針（１１）の全引下げ範囲に、３５°以下の引下げ角（α）を持っていることを特徴とする、先行する請求項の１つに記載のカム。
【請求項１３】
編針制御曲線路（１３）が、最初の３分の１に、５０°以上の押出し角（γ）を持つ編針押出し範囲を持っていることを特徴とする、請求項１２に記載のカム。
【請求項１４】
編針制御曲線路（１３）が至る所に屈曲のない連続経過を持っていることを特徴とする、請求項１２又は１３に記載のカム。
【発明の詳細な説明】
【技術分野】
【０００１】  本発明は、長手方向に移動可能に支持される舌針及び編針を移動させるための編針制御曲線路を持つカムを有する編機に関する。
【背景技術】
【０００２】  このような編機は例えばドイツ連邦共和国の特許出願公開第２４０８９２４号及び第３４３３２９０号明細書から公知である。これらの編機は、更に編針に対して移動可能なシンカを備えているので、編目の形成に必要な行程を、一部は編目を形成する編針が進み、一部はこれらの編針に付属するシンカが進む。それにより編針制御曲線路は、編針運動によってのみ下降深さが求められる編針制御曲線路より平らな経過を持つことができる。【０００３】  しかし舌針を持つこれらの公知の編機では、舌閉鎖が行われる編針の引下げ範囲において、編針制御曲線路は大きい傾斜を持ち、即ち編針の引下げ速度は非常に高い。しかしそれにより糸により開始される舌の閉鎖過程は非常に速く、それにより舌支承部及び舌スリットの摩耗を生じる可能性がある。更に舌先端が高い速度で針かぎへ当たり、それにより舌先端及びかぎ先端が損傷する可能性がある。舌スリット及び舌支承部における摩耗現象により、舌が針かぎをもはや確実に閉鎖しなくなる。舌は頻繁にかぎ先端に当たり、それによりかぎ先端及び／又は舌の耳の摩耗を更に生じる。かぎ先端及び舌先端が損傷していると、糸切れ後編み付けの際、舌の開放はもはや保証されない。天然糸の使用はこの摩耗を更に加速する。【０００４】  ドイツ連邦共和国特許出願公開第３４３３２９０号明細書では、編針制御曲線路が、引下げ範囲の終わりに、水平に延びる区間を持っているけれども、舌閉鎖運動は既にその前にある急峻な区間で始まる。この編針制御曲線路では、水平な区間は急峻な区間の大きい勾配によって補償されねばならないけれども、編針制御曲線路の利用可能な長さにわたって、下降深さを得ることができる。従って舌針の上述した摩耗減少がこの場合も生じる。【０００５】  更に編針バットがカムの制御曲線に係合する編針は、異なる勾配の区間により加速及び制動を受け、それが制御曲線路内を案内される編針バットを強く負荷する。
【発明の概要】
【発明が解決しようとする課題】
【０００６】  本発明の基礎になっている課題は、編針の寿命及び／又は可能な編み速度及び／又はシステム密度を高めるため、特に舌の閉鎖の際編針が一層小さい荷重を受ける編機を提案することである。
【課題を解決するための手段】
【０００７】  この課題は、最初にあげた種類の編機において、編針制御曲線路が、少なくとも編針の引下げ範囲の舌閉鎖範囲なるべく編針の全引下げ範囲に、３５°以下の引下げ角を持っていることによって解決される。【０００８】  これらの編針制御曲線路により、編針が少なくとも舌の閉鎖中に比較的低い速度で引下げられ、それにより舌閉鎖も公知の編機におけるよりゆっくり行われ、従って舌支承部及び舌スリットに対して、また舌及び編針かぎの先端に対して、公知の編機におけるより穏やかに行われる。【０００９】  少なくとも舌閉鎖範囲において、編針制御曲線路の引下げ角が３０°以下であると、編針が特に保護される。【００１０】  この平らな経過が編針の全引下げ範囲にわたって延びていると、編針はゆっくり引下げられ、それにより糸を保護する編目形成が可能である。これに反し編針の押出し運動は非常に速く行われるので、カムの全体として狭い幅が得られる。【００１１】  編針の間に、長手方向に移動可能で揺動可能なシンカが設けられ、シンカを動かすためシンカ制御曲線路を持つカムが設けられ、編針の引下げの際シンカが押出されるように、シンカ制御曲線路が形成され、シンカ制御曲線路が、少なくとも編針の舌閉鎖範囲なるべくシンカの全押出し範囲において２０°以下の押出し角を持っていると、別の利点が生じる。編機のこの構成では、編針の必要な引下げ深さを得るために必要な行程が編針とシンカとに分配されるので、編針は、この関連技術を利用しない編機におけるより小さい押出し運動及び引下げ運動を行えばよい。それによりカムの編針制御曲線路は、少なくとも引下げ範囲において特に平らに形成される。シンカ制御曲線路も平らな経過を持ち、なるべく１５°以下の押出し角を持つことができる。【００１２】  更に編針制御曲線路が、目的にかなうように少なくとも舌閉鎖範囲にわたって延びる編針の引下げ範囲の区間に、直線経過を持つことができる。編針制御曲線路のこの範囲で、編針は方向変化及び加速又は制動を受けないので、舌閉鎖中に編針への均一な力の作用が行われる。舌は小さい衝撃を受けるだけであり、このことは舌支承部、舌のスプーン及びかぎ先端の少ない摩耗を意味する。更にこれらの有利な条件は、下の閉鎖運動、大きく引下げられる編目及び小さく引下げられる編目に対しても存在する。舌閉鎖のために既に存続している理論的時間は、公知の編針制御曲線路と比較して著しく大きくされる。【００１３】  更に少なくとも編針制御曲線路が屈曲のない連続経過を持っていると有利である。その場合編針制御曲線路は、押出し範囲から丸くされた形で引下げ範囲へ移行している。これは、編針バットの摩耗を少なくする最も有効な可能性である。公知の編針制御曲線路では、その経過にしばしば屈曲部が設けられて、それが編針を負荷する突然の方向変化と編針の速度変化を生じる。【００１４】  別の有利な構成では、編針の押出し範囲が編針制御曲線路の最初の３分の１にある。これは、編針の押出しが非常に速く行われ、一方編針引下げのために平らに形成される十分大きい曲線路区間が利用可能であることを意味する。編針制御曲線路の押出し角は５０°以上であるのがよい。【００１５】  本発明による編機は、特に２０００��り大きい速度係数及び／又は３．２より大きいシステム密度を持つ丸編機として構成することができる。この高いシステム密度及び高い速度は、編針を大切にする編針制御曲線路によって可能にされる。２５００の速度係数及び４．０のシステム密度が完全に得られるこのような編機により、１分当たり公知の編機より著しく多くの布地を製造することができる。【００１６】  本発明は更に本発明による編機用のカムに関し、これらの編み機用カムが、編針の少なくとも舌閉鎖範囲なるべく編針の全引下げ範囲に、３５°以下の引下げ角を持っている。【００１７】  その際編針制御曲線路が、最初の３分の１に、５０°以上の押出し角を持つ編針出し範囲を持っている。【００１８】  本発明による丸編機のカムの好ましい構成が、図面により以下に詳細に説明される。
【図面の簡単な説明】
【００１９】
【図１】  セグメントにより案内される編針を持つ丸編機のカムボックスセグメントの斜視図を示す。
【図２】  図１のカムボックスセグメントの側面図を示す。
【図３】  編針制御曲線路を持つ図１のカムボックスセグメントのカムの平面図を示す。
【図４】  図１のカムボックスセグメントのシンカ制限曲線路を持つカムの斜視図を示す。
【図５】  セグメント内に案内されるシンカを持つ図１のカムボックスセグメントの斜視図を示す。
【図６】  図５のセグメントの側面図を示す。
【図７】  セグメント内に案内される編針及びシンカを持つ図１のカムボックスセグメントを外から見た図を示す。
【発明を実施するための形態】
【００２０】  図１は、カムボックスセグメント１０及びこれに係合する舌針として構成されている編針１１を示す。
【００２１】  図２のカムボックスセグメントの側面図からわかるように、ここには詳細には示してない針筒の溝内に互いに平行に設けられている編針１１は、編針の運動を制御するカム１４の編針制御曲線路１３内に案内される編針バット１２を持っている。
【００２２】  図３においてカム１４の詳細図からわかる編針制御曲線路１３の形状により、編針１１は図１からわかる押出し運動及び引下げ運動を行う。ここには詳細に示されてないカムボックスは、互いに隣接する多数の同じ構造のカムボックスセグメント１０を持っているので、針筒のすべての編針がセグメント１０のカム１４の作用を受けることができる。ここに示す実施例では、カムボックスセグメント１０は丸編機の針筒の半径方向外側に設けられて固定しているが、針筒は回転するように駆動されている。
【００２３】  図３に詳細図で示されるカム１４を、編針１１の編針バット１２が通過する。編針制御曲線路１３はまず急峻に上昇して編針１１を押出す５０°以上の押出し角γを持つ区間１５を持っている。この区間は、丸められた形状で、水平面に対して角αをなして延びる引下げ範囲のまっすぐに延びる区間Ａへ移行し、この引下げ角αはなるべく３０°より小さく、引下げ範囲のどこでも超過されない。平らな引下げ範囲及びどこでも屈曲のない丸く形成される編針制御曲線路１３の形状は、編針１１の編針バット１２も、舌閉鎖範囲Ｚにある区間Ａを編針バット１２が通過する間に閉じられる編針１１の舌も、傷つけることがない。
【００２４】  カム１４より上でカムボックスセグメント１０に、図５及び６からわかるシンカ１７を動かすカム１６が設けられている。特に図６の側面図が示すようにシンカ１７は、カム１６のシンカ制御曲線路１９内を案内されるシンカバット１８を備えている。図１４のカム１６の単独図から詳細がわかるシンカ制御曲線路１９により、シンカ１７も同様に引下げ運動及び押出し運動を行う。図３及び４の曲線路１３及び１９を一覧するとわかるように、シンカ１７の運動は広い範囲にわたって編針１１の運動とは逆向きである。これは次のことを意味する。即ちシンカ制御曲線路１９はまず下降し、それから水平面となるべく２０°以下の角βをなしてまっすぐに延びる押出し区間Ｖへ移行する。全体として比較的平らで僅かな方向変化を持つシンカ制御曲線路１９の推移により、シンカ１７の極めて保護的な運動が行われる。
【００２５】  図６からわかるように、シンカは長手方向の運動のみならず、ここには図示してないカムにより駆動される揺動運動も行う。
【００２６】  図７には、編針１１及びシンカ１７が作用する際のカムボックスセグメント１０の正面図が示されている。この図からわかるように、２つの編針１１の間に１つのシンカ１７が設けられている。編針１１に対するシンカ１７のほぼ逆の運動も、この図からよくわかる。編針１１が押出される間に、シンカ１７はまず殆ど変化しない高さ位置に留まり、それからその最も低い位置へ引下げられ、編針１１はこの点でその最大押出し位置へ達する。最も低い点における編針の位置と最も高い点におけるシンカの位置との間隔が、ループ形成深さ従って編目の大きさを決定する。カムボックスセグメント１０の最初の３分の１にある点Ｋへ編針１１が達した後、編針１１の引下げ運動が始まり、編針１１の舌がこれらの編針に掛かる編目により閉じられる。この閉鎖運動中に編針１１が、方向変化なしにかつ加速又は制動なしに一様な運動を行う。従って編針の舌の閉鎖過程が他を傷つけることなく行われることが保証され、それが更に舌閉鎖範囲Ｚにおける編針制御曲線路の直線推移によって支援される。
【００２７】  カムボックスが回転し、針筒が固定しているように構成できることは明らかである。編目形成過程にとって重要なことは、カム１４，１６と編針１１及びシンカ１７との相対運動である。
【図１】
2014500911.tif 000003
【図２】
2014500911.tif 000004
【図３】
2014500911.tif 000005
【図４】
2014500911.tif 000006
【図５】
2014500911.tif 000007
【図６】
2014500911.tif 000008
【図７】
2014500911.tif 000009
【国際調査報告】
2014500911.tif 000010
2014500911.tif 000011
2014500911.tif 000012
2014500911.tif 000013
2014500911.tif 000014
2014500911.tif 000015